(57)【特許請求の範囲】
【請求項１】
下地材に被覆されたアスベスト含有材を有する凹空間に進入させて前記アスベスト含有材を除去するための酸性液注入冶具であって、
前記凹空間の入口部に着脱可能な固定部と、
該固定部に設けられたリング部材と、
該リング部材に非固定状態で全方向に移動自在に挿通されるとともに、長手方向で略中間部で前記リング部材に当接可能な長尺のアームと、
このアーム先端に設けられるとともに、前記アスベスト含有材内に挿入可能であり、その挿入先端から周囲に向けて酸性液を注入させるための注入部と、
を備え、
前記アームの基端を押すことにより、前記アームと前記リング部材との当接部を支点として前記アーム先端を移動させ、前記注入部を前記アスベスト含有材に挿入させる構成としたことを特徴とするアスベスト含有材除去用の酸性液注入冶具。
【請求項２】
前記注入部には、前記酸性液を供給および停止を操作するための注入操作装置が液送管を介して設けられていることを特徴とする請求項１に記載のアスベスト含有材除去用の酸性液注入冶具。
【発明の詳細な説明】
【技術分野】
【０００１】
本発明は、狭隘部において吹き付けなどによって被覆されているアスベスト含有材を除去するための酸性液注入冶具に関する。
【背景技術】
【０００２】
近年、鉄骨造建物の多くが外壁にカーテンウォールを使用している。このような建物では、外周部の梁に使用されるＨ型鋼とカーテンウォールとの間には僅かな隙間しかない場合が多く、この箇所が狭隘部を形成している。そして、このようなＨ型鋼の梁には、全周にわたって吹付けアスベスト材を吹き付けた構造により施工されたものがある。
ところで、一般的に、アスベスト含有材の除去方法として、ケレン棒等の工具による粗落し後、例えばブラシ等を用いてセメント成分を主体とした残留付着物を削ぎ落して磨き上げる作業が行われている。また、人力の場合に比べて作業効率を高めた除去方法として、除去装置等を使用するものが例えば特許文献１、２に開示されている。
【０００３】
特許文献１は、マニピュレータの先端に設けたバケット内に適宜駆動するブラシやスクレーパーが備えられており、バケットの開口をアスベスト表面に押し付けた状態で、その内部でブラシやスクレーパーを作動し、剥離したアスベストをそのままバケット内に落下させて、バケットから処理容器等に移すことで処理する装置について記載したものである。
【０００４】
特許文献２には、アスベスト含有物を剥離するカットブラシ（剥離手段）と、剥離手段を包囲する内側フードと、さらに内側フードを取り囲む外側フードと、剥離したアスベスト含有物を内側フード内から処理タンクへ吸引する吸引手段とを備えたアスベスト除去装置について開示されている。
【先行技術文献】
【特許文献】
【０００５】
【特許文献１】特開平８−１９９８３２号公報
【特許文献２】特開２００８−２５３８５７号公報
【発明の概要】
【発明が解決しようとする課題】
【０００６】
しかしながら、特許文献１、２に示すようなアスベスト除去装置を用いたアスベスト除去方法では、カーテンウォール寄りのＨ型鋼との間の狭隘部に除去装置を配置するのが困難であり、人力による作業に頼らざるを得ない現状がある。その人力による場合、除去しようとしても過度な狭隘さにより、除去残しが生じたり、全てを完全に除去するまでに膨大な時間と手間を要するという問題があった。
【０００７】
本発明は、上述する問題点に鑑みてなされたもので、狭隘部であっても除去作業にかかる手間と時間を低減することができ、アスベスト含有材の除去が確実に行なえるアスベスト含有材除去用の酸性液注入冶具を提供することを目的とする。
【課題を解決するための手段】
【０００８】
上記目的を達成するため、本発明に係るアスベスト含有材除去用の酸性液注入冶具では、下地材に被覆されたアスベスト含有材を有する凹空間に進入させてアスベスト含有材を除去するための酸性液注入冶具であって、凹空間の入口部に着脱可能な固定部と、固定部に設けられたリング部材と、リング部材に非固定状態で全方向に移動自在に挿通されるとともに、長手方向で略中間部でリング部材に当接可能な長尺のアームと、このアーム先端に設けられるとともに、アスベスト含有材内に挿入可能であり、その挿入先端から周囲に向けて酸性液を注入させるための注入部とを備え、アームの基端を押すことにより、アームとリング部材との当接部を支点としてアーム先端を移動させ、注入部をアスベスト含有材に挿入させる構成としたことを特徴としている。
【０００９】
本発明では、アームとともに注入部を凹空間に進入させつつ、凹空間の入口部に酸性液注入冶具の固定部を取り付けた後、アームの基端を適宜な方向に向けて押すことにより、てこの原理によりアームとリング部材との当接部を支点としてアーム先端を移動させ、注入部をアスベスト含有材に挿入させることができる。そして、注入部が下地材に到達したときに、注入部の挿入先端より酸性液をその周囲へ向けて注入し、注入した酸性液をアスベスト含有材と下地材との付着面に沿って浸透させる。これにより、酸性液が付着したアスベスト含有材がそのセメント分と有機物とが酸により化学反応で分解して溶解するため、アスベスト含有材を下地材との付着面で剥離させて自然落下させることができる。
【００１０】
また、本発明に係るアスベスト含有材除去用の酸性液注入冶具では、注入部には、酸性液を供給および停止を操作するための注入操作装置が液送管を介して設けられていることが好ましい。
本発明では、注入部に接続する液送管を適宜な長さに延ばしておくことで、注入部に酸性液を注入するための注入操作装置を手元で操作することができ、これにより凹空間においてアスベスト含有材に挿入した注入部に酸性液を容易に供給することができる。
【発明の効果】
【００１１】
本発明のアスベスト含有材除去用の酸性液注入冶具によれば、アーム先端に注入部を備えたもののみを凹空間内に進入させればよく、狭隘な空間に存在するアスベスト含有材の除去を極めて簡単な構造の冶具により行うことが可能であることから、このような狭隘部であっても除去作業にかかる手間と時間の低減を図ることができ、アスベスト含有材の付着残しがなく確実な除去を行うことができる。
【図面の簡単な説明】
【００１２】
【図１】本発明の実施の形態によるアスベスト含有材の除去方法の概略構成を説明するための図である。
【図２】酸性液注入冶具の概略構成を示す側面図である。
【図３】（ａ）、（ｂ）は酸性液注入冶具の操作状態を示す図である。
【図４】第１変形例によるアスベスト含有材の除去方法を示す図である。
【図５】第２変形例によるアスベスト含有材の除去方法を示す図である。
【発明を実施するための形態】
【００１３】
以下、本発明の実施の形態によるアスベスト含有材除去用の酸性液注入冶具について、図面に基づいて説明する。
【００１４】
図１に示すように、本実施の形態によるアスベスト含有材除去用の酸性液注入冶具１は、建物の外壁を構成するカーテンウォール３と、各フロアのスラブ４を下方より支持するＨ型鋼からなる梁５（下地材）のうち最も外周側（カーテンウォール３寄り）の梁５との間の狭隘部Ｋ（凹空間）において、梁５に全周にわたって所定厚さで吹き付けにより被覆されているアスベスト含有材２を除去する施工が適用対象となっている。なお、図１で符号６は、カーテンウォール３に取り付けられている窓ガラスを示している。
ここで、上記狭隘部Ｋは、Ｈ型鋼をなす梁５の下フランジ５１の端部５１ａからカーテンウォール３までの間隔が略１５０ｍｍ程度の隙間（入口部Ｋａ）を有する凹空間である。
【００１５】
なお、アスベスト含有材２としては、吹付けアスベスト材やアスベスト含有吹付けロックウール等が用いられている。
【００１６】
アスベスト含有材２の除去方法は、狭隘部Ｋに酸性液注入冶具１の注入針１０（注入部）をアスベスト含有材２と梁５の鋼材との付着面５ａ付近まで挿入し、その注入針１０から酸性液Ｔをその周囲に注入して、アスベスト含有材２を酸性液Ｔに反応させて溶解させることで、アスベスト含有材２を梁５から剥離させつつ自然に落下させる方法となっている。
【００１７】
ここで、アスベスト含有材２の梁５に対する付着面５ａ付近に注入される酸性液Ｔとして、塩酸等の鉱物酸、酢酸、クエン酸等の有機酸水溶液が挙げられる。この酸性液Ｔは、アスベスト含有材２に反応させて溶解させる作用を有しており、前記付着面５ａに注入することで梁５の鋼材に対して剥離を生じさせて分離させることが可能となり、アスベスト含有材２の材質、その吹付け厚さ寸法などの条件に応じて例えばＰＨ値を１〜４程度に調整して使用される。
【００１８】
図２に示すように、酸性液注入冶具１は、図１に示す狭隘部Ｋの凹空間の入口部Ｋａに着脱可能な固定部１１と、この固定部１１に設けられたリング部材１２と、リング部材１２に非固定状態で全方向に移動自在に挿通されるとともに、長手方向で略中間部でリング部材１２に当接可能な長尺のアーム１３と、このアーム先端１３ａに設けられるとともに、アスベスト含有材２内に挿入可能であり、その挿入先端１０ａから周囲に向けて酸性液Ｔを注入させるための前記注入針１０とを備え、アーム１３の基端１３ｂを押すことにより、アーム１３とリング部材１２との当接部１３ｃを支点としてアーム先端１３ａを移動させ、注入針１０をアスベスト含有材２に挿入させるように構成されている。
そして、酸性液注入冶具１には、図１に示す酸性液供給部２０を備えている。
【００１９】
固定部１１は、周知の万力と同様の構成であり、凹状をなす固定部本体１１１の対向する凹部側壁部１１１ａ、１１１ｂには挟持片１１２、１１３が設けられ、そのうち一方の挟持片１１２がねじ１１４によって他方の挟持片１１３に対して近接離反する方向（これを把持方向Ｙとする）に移動可能とされ、両挟持片１１２、１１３で被固定部を挟持することにより固定できるようになっている。
【００２０】
リング部材１２は、連結片１４を介して固定部１１の固定部本体１１１の背面１１ａに接合されている。このとき、リング部材１２の長手方向が固定部１１の把持方向Ｙにほぼ平行となるように設けられている。そして、リング部材１２の内径寸法としては、アーム１３が挿通可能な寸法であればよく、例えば若干大きい程度とすることができる。
【００２１】
アーム１３は、所定の長さを有しており、一端（基端１３ｂ）が把持部となり、長さ方向中間部で「くの字」状に屈折されており、アーム先端１３ａには注入針１０が張出片１５を介して設けられている。
張出片１５は、一端１５ａがアーム先端１３ａに対して所定角度をもって固定され、他端側を「くの字」状に屈折したアーム１３の内角側に張出した状態で取り付けられている。つまり、張出片１５の突出方向は、アーム１３全体を含む平面と同一平面内に設けられている。
【００２２】
そして、このアーム１３は、リング部材１２に対して非固定状態で挿通されており、基端１３ｂを操作することで、当接部１３ｃがリング部材１２に当接し、てこの支点を形成している。そして、アーム１３の基端１３ｂを押すことで、当接部１３ｃを中心にアーム１３が矢印Ｅ１方向に回動することにより、先端側の注入針１０が矢印Ｅ２方向に揺動する構成となっている。なお、アーム１３の当接部１３ｃは、固定点ではなく、リング部材１２に対して適宜変動することになる。
【００２３】
注入針１０は、針先端（挿入先端１０ａ）に酸性液Ｔの吐出口（図示省略）を有し、張出片１５の突出端１５ｂに固定されている。注入針１０の前記吐出口は、注入針１０内の酸性液Ｔの流路に通じており、後述する注入操作装置２３（図１）から送出される酸性液Ｔを周囲に向けて注入させるように構成されている。
【００２４】
図１に示すように、酸性液供給部２０は、酸性液Ｔを貯留させる薬品槽２１と、薬品槽２１と注入針１０との間を連結する液送管２２（２２Ａ、２２Ｂ）と、液送管２２の途中に介在され、薬品槽２１内の酸性液Ｔを注入針１０側へ送出するガン式の注入操作装置２３と、注入操作装置２３と薬品槽２１との間の第１液送管２２Ａに設けられている圧送ポンプ２４とからなる。つまり、酸性液供給部２０は、注入操作装置２３のレバー状の操作部２３ａを指で押して操作することで第１液送管２２Ａに接続されている圧送ポンプ２４を作動させ、薬品槽２１内の酸性液Ｔが注入針１０側へ向けて供給されるようになっている。
【００２５】
次に、上述した酸性液注入冶具１の作用と、この酸性液注入冶具１を用いて狭隘部Ｋに存在するアスベスト含有材２を除去する方法について、図面に基づいてさらに具体的に説明する。
先ず、図３（ａ）に示すように、梁５の下フランジ５１の下面５１ｂに吹き付けられているアスベスト含有材を除去しておく。その後、カーテンウォール３、スラブ４、および梁５によって囲まれた凹空間の狭隘部Ｋにアーム１３とともに注入針１０を進入させつつ、狭隘部Ｋの入口部Ｋａに位置する梁５の下フランジ５１のカーテンウォール３側の端部５１ａに酸性液注入冶具１の固定部１１を係止部１１２、１１３によって挟持して固定する。
【００２６】
その後、アーム１３の基端１３ｂを適宜な方向（矢印Ｅ１方向）に向けて押すことにより、てこの原理によりアーム１３とリング部材１２との当接部１３ｃを支点としてアーム先端１３ａを矢印Ｅ２方向に移動させ、図３（ｂ）に示すように、下地材の梁５（ここではウェブ５２）に到達するまで注入針１０をアスベスト含有材２に挿入させる。
そして、図１に示す注入操作装置２３の操作部２３ａを操作して注入針１０の挿入先端１０ａより酸性液Ｔをその周囲へ向けて注入し、注入した酸性液Ｔをアスベスト含有材２と梁５の鋼材との付着面５ａに沿って浸透させる。
【００２７】
これにより、酸性液Ｔが付着したアスベスト含有材２がそのセメント分と有機物とが酸により化学反応で分解して溶解するため、アスベスト含有材２を梁５との付着面５ａで剥離させて自然落下させることができる。なお、落下したアスベスト含有材２は、適宜な回収手段により取り除けばよい。
また、本実施の形態では、予めアスベスト含有材２の表面に飛散抑制剤を散布しておくことで、アスベスト含有材２が剥離落下する際に生じるアスベストの飛散を抑制することも可能である。
【００２８】
このように、注入針１０をアスベスト含有材２の所定箇所に挿入して酸性液Ｔを注入する作業を適宜な箇所において繰り返し行うことで、狭隘部Ｋにおける梁５に付着したアスベスト含有材２をきれいに剥離させて除去することができる。
また、注入針１０には酸性液Ｔを供給および停止を操作するための注入操作装置２３が液送管２２を介して設けられており、注入針１０に接続する液送管２２を適宜な長さに延ばしておくことで、注入針１０に酸性液Ｔを注入するための注入操作装置２３を手元で操作することができ、これにより狭隘部Ｋにおいてアスベスト含有材２に挿入した注入針１０に酸性液Ｔを容易に供給することができる。
【００２９】
上述のように本実施の形態によるアスベスト含有材除去用の酸性液注入冶具では、アーム先端１３ａに注入針１０を備えたもののみを狭隘部Ｋ内に進入させればよく、狭隘な空間に存在するアスベスト含有材２の除去を極めて簡単な構造の冶具により行うことが可能であることから、このような狭隘部Ｋであっても除去作業にかかる手間と時間の低減を図ることができ、アスベスト含有材２の付着残しがなく確実な除去を行うことができる。
【００３０】
以上、本発明によるアスベスト含有材除去用の酸性液注入冶具の実施の形態について説明したが、本発明は上記の実施の形態に限定されるものではなく、その趣旨を逸脱しない範囲で適宜変更可能である。
【００３１】
例えば、本実施の形態では注入部として注入針１０を用いているが、このような注入針１０であることに制限されることはなく、他の形態のものを採用することも可能である。要は、先端が尖った形状でアスベスト含有材２内に挿入し易く、またその先端付近から酸性液Ｔを周囲に向けて注入できる構造であればよいのである。そして、注入針１０は、張出片１５を介してアーム１３に固定されているが、張出片１５を設けずに、注入針１０を直接アーム１３に固定させる構成であっても良い。したがって、注入部の長さ寸法、太さなども任意に設定することができる。
【００３２】
また、本実施の形態の酸性液注入冶具１では、万力タイプの固定部１１としているが、これに限定されることはなく、その取り付け箇所も梁５のカーテンウォール３側の端部５１ａであることに制限されることはない。
さらに、本実施の形態では「くの字」状に屈折させたアーム１３を採用しているが、これに限らず、例えば直線状のものでも良いし、長手方向全体にわたって緩やかに湾曲するものであってもかまわない。
そして、アーム１３の長さ寸法や、太さは任意に設定が可能であり、またリング部材１２の形状も円形に限らず、楕円、四角形などの形状のものを用いることが可能である。
【００３３】
さらにまた、本実施の形態では酸性液供給部２０としてガン式の注入操作装置２３により注入部（注入針１０）へ酸性液Ｔを供給しているが、単純にオンオフ可能なスイッチなど、他の構造であってもよい。
【００３４】
また、本実施の形態では狭隘部Ｋとしてカーテンウォール３とスラブ４と梁５とによって囲まれた凹空間を対象としているが、このような狭隘部に限定されることはない。要は、アーム２３の先端を狭隘部に相当する空間に進入させることが可能であり、且つ固定部を狭隘部の入口部付近に固定可能である部分に適用するこが可能である。
【００３５】
また、図４に示す第１変形例のように、本実施の形態による酸性液注入冶具１を多軸ロボットアーム３０の先端に接合部３１によって固定させた構成であってもかまわない。これにより、アスベスト含有材２に対して行われる酸性液Ｔの注入などの一連の作業の下方に人が入ることがなくなる利点がある。
【００３６】
さらに、図５に示す第２変形例のように、多軸ロボットアーム３０の先端にレーザーレンジファインダ３２とステレオカメラ３３を備え、アスベスト含有材の未除去部分を検知してから、上述した本実施の形態の酸性液注入冶具１による施工を行ってアスベスト含有材２を剥離させ落下した後に残留付着物２´を確認することも可能である。
【符号の説明】
【００３７】
１  酸性液注入冶具
２  アスベスト含有材
３  カーテンウォール
５  梁
５ａ  付着面
１０  注入針（注入部）
１０ａ  挿入先端
１１  固定部
１２  リング部材
１３  アーム
１３ａ  アーム先端
１３ｂ  基端
１３ｃ  当接部
２０  酸性液供給部
２１  薬品槽
２２、２２Ａ、２２Ｂ  液送管
２３  注入操作装置
Ｋ  狭隘部（凹空間）
Ｋａ  入口部
Ｔ  酸性液  
【図１】
0005495053.tif 000002
【図２】
0005495053.tif 000003
【図３】
0005495053.tif 000004
【図４】
0005495053.tif 000005
【図５】
0005495053.tif 000006